(57)【要約】【課題】  顎骨にトレフィンバー用のガイド孔を複数穿孔することによって、神経の切断を避けながらトレフィンバーによって迅速に顎骨に穿孔できることを目的とする。【解決手段】  ヘッド６内のロータ部に連結される駆動軸部２７と、該駆動軸部２７を中心として円周上に複数のピーソーリーマ状の細ドリル２１を配置し、当該駆動軸部２７の先端部にサンギヤ２８を形成し、当該細ドリル２１の基部近傍にピニオンギヤ２９を形成し、当該細ドリル２１及び当該駆動軸部２７を軸支した筐体２３で各ギヤ部を覆ったことを特徴とする人工歯根植立用穿孔装置である。【選択図】  図３
2005245827.tif 000002
【特許請求の範囲】
【請求項１】
歯科用エンジンのヘッドに取り付けられる人工歯根植立用穿孔装置であって、複数のピーソーリーマ状の細ドリルを円周上に配したことを特徴とする人工歯根植立用穿孔装置。
【請求項２】
歯科用エンジンのヘッドに取り付けられる人工歯根植立用穿孔装置であって、ヘッド内のロータ部に連結される駆動軸部と、該駆動軸部を中心として円周上にピーソーリーマ状の細ドリルを複数設置し、当該駆動軸部の先端部にサンギヤを形成し、複数の当該細ドリルの基部近傍にピニオンギヤを形成し、当該駆動軸部及び細ドリルを軸支した筐体で各ギヤ部を覆ったことを特徴とする人工歯根植立用穿孔装置。
【請求項３】
前記駆動軸部の先端をサンギヤの中心より突出させて軸刃を形成したことを特徴とする請求項２に記載された人工歯根植立用穿孔装置。
【請求項４】
ヘッド内のロータ部に連結された駆動軸部と、該駆動軸部を中心として円周上に回転する複数のピーソーリーマ状の細ドリルの取り付け部を有し、当該駆動軸部の先端部にサンギヤを形成し、該サンギヤと噛合するように等間隔で複数のピニオンギヤを配置し、該ピニオンギヤの中心に細ドリルの取り付け部を有したことを特徴とする穿孔装置用筐体。
【発明の詳細な説明】
【技術分野】
【０００１】
本発明は、歯科用エンジンに取り付けられる人工歯根植立用穿孔装置であって、特にトレフィンバー用のガイド孔を穿孔する装置及び穿孔装置用筐体に関する。
【背景技術】
【０００２】
歯を失った後の顎に噛み合わせと咀嚼機能を回復する目的で植立される人工歯根は、あらかじめ顎骨に穴を形成することにより植立される。この人工歯根植立用の穴を穿孔するための方法としては、図８に示す方法が一般的であった。
まず図８（ａ）に示すように歯科用エンジン５のヘッド６にピーソーリーマ３７を取り付け、顎骨３８の術部の中心にセンターガイド用の孔４１を穿孔する。その後、図８（ｂ）に示すようにサーキュラーナイフ４２をヘッド６に取り付け、サーキュラーナイフ４２の軸刃４３をセンターガイド用の孔４１に挿入し、センターガイド用の孔４１の円周上にトレフィンバー用のガイド溝４７を形成する。その後、図８（ｃ）に示すようにヘッド６にトレフィンバー５０を取り付け、センターガイド用の孔４１に軸歯５１を挿入し、ガイド溝４７に沿って顎骨３８を円周状に切削していくことにより人工歯根植立用の穴を穿孔する。
【０００３】
しかし、患者が動くことによる予期せぬ術部の移動を伴う硬い顎骨の切削には高度な技術を要し、また完全に人工歯根植立用の穴を穿孔するには通常１０〜１５分程度の時間を要することになる。このように切削時間が長引く原因は、鋭利な先端を持つピーソーリーマ３７の切削時間ではなく［図８（ａ）通常３０秒程度である。］、円状に回転しながら切削していくトレフィンバー５０のにあった。またトレフィンバー５０の切削面積が広いことから、トレフィンバー５０の刃がすぐに摩耗してしまうという問題もあった。
更に図９に示すように、顎骨６２内には神経６４があり、穴を形成する際に穿孔装置によって顎骨６２内の神経６４を切断する危険性もあった。特にトレフィンバー５０は円周状に広い範囲で顎骨を切削していくため、一度神経６４を切断してしまうとその回復が不可能になる危険性があった。
【発明の開示】
【発明が解決しようとする課題】
【０００４】
本発明は、上記したトレフィンバーの工程における問題点を解消するためになされたものである。その目的とするところは、複数のピーソーリーマ状の細により術部の円周にトレフィンバー用のガイド孔を複数穿孔することによって、所望の深さまで神経の切断を避けながら迅速に顎骨に植立用の穴を穿孔できるようにすることにある。
【課題を解決するための手段】
【０００５】
本発明は、上記の課題を解決するために以下の構成を採用した。
（１）歯科用エンジンのヘッドに取り付けられる人工歯根植立用穿孔装置であって、複数のピーソーリーマ状の細ドリルを円周上に配したことを特徴とする人工歯根植立用穿孔装置である。
【０００６】
本発明で使用されるドリルは細刃なのでトレフィンバーに比較して短時間で所望の深さまで孔を迅速にあけることができる。例えば人工歯根の植立に必要な深さまで約３０秒で削ることが可能である。また円周上に複数の細ドリルを配することにより、同時に複数のトレフィンバー用のガイド孔を穿孔することが可能となる。
またガイド孔の穿孔において、顎骨内の神経付近まで穿孔すると局所麻酔下でも痛みを感じることができ、その深さでガイド孔の穿孔を停止すれば、穿孔による神経の切断を最小限度で防止することができる。
更に円周上に複数のトレフィンバー用のガイド孔を穿設し、その後にトレフィンバーを使用して顎骨を切削することによって、ガイド孔の空隙によりトレフィンバーによる切削が容易となり、またトレフィンバーの刃の摩耗も軽減される。
【０００７】
（２）歯科用エンジンのヘッドに取り付けられる人工歯根植立用穿孔装置であって、ヘッド内のモータ部に連結される駆動軸部と、該駆動軸部を中心として円周上にピーソーリーマ状の細ドリルを複数設置し、当該駆動軸部の先端部にサンギヤを形成し、複数の当該細ドリルの基部近傍にピニオンギヤを形成し、当該駆動軸部及び細ドリルを軸支した筐体で各ギヤ部を覆ったことを特徴とする人工歯根植立用穿孔装置である。
【０００８】
ここで駆動軸部の基部は歯科用エンジンのモータ部に連結できるように形成される。このような構成によりモータの動力が駆動軸からサンギヤを通じてピニオンギヤに伝達されることによって、複数の細ドリルは同時に同じ方向に回転することになる。本発明に係る人口歯根植立用穿汎用の歯科用エンジンに取り付けて使用することも可能である。
また筐体の軸方向内面は軸受けとしての機能も有する。すなわち筐体に設けられた穿孔には駆動軸部と細ドリルの各軸が通っている。各ギヤ部は駆動軸部や細ドリルの各軸よりも径が大なので、ギヤを覆う筐体内で保持されることになる。なお筐体内面とこれに対面する各ギヤ部の軸方向の上面及び背面によってスラスト軸受部を形成しても良い。
（３）前記駆動軸部の先端をサンギヤの中心より突出させて軸刃を形成したことを特徴とする上記（２）に記載された人工歯根植立用穿孔装置である。
すなわち円周上に設置された細ドリルの中心に軸刃を設置することによって、あらかじめピーソーリーマにより形成されたガイド穴に、前記軸刃を挿通しながら軸振れすることなく穴を穿孔することができる。
（４）ヘッド内のモータ部に連結された駆動軸部と、該駆動軸部を中心として円周上に回転する複数のピーソーリーマ状の細ドリルの取り付け部を有し、当該駆動軸部の先端部にサンギヤを形成し、該サンギヤと噛合するように等間隔で複数のピニオンギヤを配置し、該ピニオンギヤの中心に細ドリルの取り付け部を有したことを特徴とする穿孔装置用筐体である。
サンギヤとピニオンギヤを有する筐体を用意しておくことによって、細ドリル等の替刃を使用することができる。細ドリルが摩耗した場合も筐体ごと取り替える必要がなく経済的である。
【発明の効果】
【０００９】
本発明は、上記のように複数のピーソーリーマ状の細ドリルにより術部の円周に人工歯根植立用のガイド孔を複数穿孔することによって、所望の深さまで神経の切断を避けながら迅速に顎骨に植立用の穴を穿孔できるという効果がある。
【発明を実施するための最良の形態】
【００１０】
以下、本発明を図面に示す実施例に基づいて説明する。図１は本発明の請求項１に係る人工歯根植立用穿孔装置１０の一例を示す斜視図である。図１に示すように本発明は、切削される術部の穿孔点が中心となるように円周上に配した３本のピーソーリーマ状の細ドリル１と、かかる細ドリル１の軸方向の略中央部を覆う筐体３とからなる。前記細ドリル１の各軸部の中間にはスリーブ状の凸状環部４が形成され、前記筐体３の軸方向内側と凸状環部４の軸方向外側とを摺動させることによって軸受が構成されている。なおかかる本発明はこのような筐体３と細ドリル１等からなり、歯科用エンジン５のヘッド６に取り付けられる植立用穿孔装置１０である。
【００１１】
図２は、図１におけるII−II矢視断面図である。細ドリル１の基部２は歯科用エンジンのヘッド内に設置されているモータと嵌合する形状になっている。また筐体３の基面には細ドリル１が通る孔１１が設けられ、筐体３の外面には同様の孔１２が設けられている。各細ドリル１の軸方向の中間部にはスリーブ状の凸状環部４が形成されている。かかる凸状環部４の軸方向外側は、孔１１及び１２の周辺部において筐体内面と接している。この状態でピーソーリーマ１が回転すると、凸状環部４の軸方向外側と筐体内面との対向する面が摺動し軸受を構成することになる。かかる摺動部分がスラスト軸受部となり細ドリル１は安定して回転する。
【００１２】
図３及び図４は、本発明の請求項３に係る人工歯根植立用穿孔装置３０の一例を示す図である。図３に示すように本発明は、ヘッド６内の図示しないモータ部に連結され先端に軸刃２５を突出させた駆動軸部２７と、かかる駆動軸部２７を中心として円周上に３本のピーソーリーマ状の細ドリル２１を配置し、前記駆動軸部２７の先端部にサンギヤ２８を形成し、前記細ドリル２１の基部近傍にピニオンギヤ２９を形成し、サンギヤ２８とピニオンギヤ２９を相互に噛合させることによって、駆動軸部２７からサンギヤ２８を通じてピニオンギヤ２９に伝達する。
【００１３】
また図４に示すように駆動軸部２７は連結部３４によってヘッド６内の図示しないモータ部に連結されている。モータ部によって発生した動力は、連結部３４より駆動軸部２７に伝わって、サンギヤ２８及びピニオンギヤを回転させる。また前記各ギヤ部２８，２９，２９，２９は筐体２３で覆われており、かかる筐体２３の基面に駆動軸を保持するための穿孔３１が設けられている。又かかる穿孔３１を中心とした円周上に細ドリル２１を保持するための複数の穿孔３２が設けられている。更に前記筐体２３の外面に細ドリル２１を保持するための複数の穿孔３３が設けられている。細ドリル２１の回転軸における筐体２３内にはサンギヤ２８及びピニオンギヤ２９が相互に嵌り、前記筐体２３の軸方向内面と対向するサンギヤ２８及びピニオンギヤ２９の軸方向外面とが隣接することにより摺動する軸受として機能する。ここで筐体２３はアタッチメント２６によって歯科用エンジン５のヘッド６に結着されている。なおアタッチメント２６の機構は図に示ヘッド限定されるものではない。
【００１４】
図５は、図４におけるＶ−Ｖ矢視断面図である。駆動軸部２７はヘッド内のモータの取付け部に連結している。モータの動力はサンギヤ２８を介して外周のピニオンギヤ２９に伝達される。ピニオンギヤ２９に形成された３本の細ドリル２１は、サンギヤからの動力を受けて同じ方向に回転することになる。
【００１５】
図６は、細ドリルを回転させる機構の他の実施形態の一例を示す断面図である。
かかる実施形態において、細ドリル２１の基部近傍に形成されたピニオンギヤ２９は、その外周に配されたリングギヤ３５と噛合している。リングギヤ３５の歯車は筐体の側面内側に形成されている。筐体の基部は歯科用エンジン５のヘッド６内のモータに連結し、モータの動力がリングギヤ３５を通じて内周のピニオンギヤ２９に伝達される。かかる構造によっても複数の細ドリル２１を同じ方向に回転させることができる。
【実施例】
【００１６】
図７は、本発明に係る人工歯根植立用穿孔装置４０を用いて人工歯根植立用の孔を穿孔する工程を示す斜視図である。
まず図７（ａ）に示すように歯科用エンジン５のヘッド６にピーソーリーマ３７を取り付けた。ピーソーリーマ３７を顎骨３８の術部の中心にあて、センターガイド用の孔３９を穿った。次に図７（ｂ）に示すように歯科用エンジン５のヘッド６にサーキュラーナイフ４２を取り付けた。かかるサーキュラーナイフ４２の軸刃４３を前記工程で設けたセンターガイド用の孔３９に挿通しながら下降し、サーキュラーナイフ４２の鋸環状部４４によってセンターガイド用の孔３９の円周にガイド溝４７を形成した。その後、図７（ｃ）に示すようにヘッド６に本発明に係る人工歯根植立用穿孔装置４０を取り付けた。かかる人工歯根植立用穿孔装置４０の軸刃４６をセンターガイド用の孔３９に挿通し、更に３本の細ドリル４１の先端をサーキュラーナイフ４２によって形成されたガイド溝４７上の３箇所にあてた。その後、細ドリル４１を回転させながらガイド溝４７上に３本のトレフィンバー用のガイド孔４８を穿孔した。この人工歯根植立用穿孔装置４０によって所望の深さまで神経の切断を避けながら３０秒ほどで顎骨にトレフィンバー用のガイド孔４８を穿孔することができた。なおこの後、人口歯根植立用穿孔装置４０の位相を６０度移動させることによって、更にトレフィンバー用のガイド孔４８を穿孔するのが好ましい。かかる二度の穿孔によってガイド溝４７には６０度毎に６本のトレフィンバー用のガイド孔４８を穿孔することができた。
【００１７】
次に図７（ｄ）に示すようにヘッド６にトレフィンバー５０を取り付け、軸刃５１をセンターガイド用の孔３９に挿通し、回転する切削刃５２によって顎骨３８を円周上に切削することによって人工歯根植立用の穴を穿孔した。トレフィンバー５０による切削工程は、予め人工歯根植立用穿孔装置４０によってトレフィンバー用のガイド孔４８が複数箇所に設けられていることにより大幅に迅速化される。なお図７（ａ）〜（ｄ）の全工程に要した時間は５分程であった。またガイド孔４８が設けられていることにより顎骨３８の切削抵抗が軽減し、トレフィンバー５０の鋸歯の摩耗を軽減し、迅速かつ容易に人工歯根植え立用の穴を顎骨３８に穿孔することができた。
【図面の簡単な説明】
【００１８】
【図１】本発明の請求項１に係る人工歯根植立用穿孔装置の一例を示す斜面図である。
【図２】図１におけるII−II矢視断面図である。
【図３】本発明の請求項２に係る人工歯根植立用穿孔装置の一例を示す斜視図である。
【図４】本発明の請求項２に係る人工歯根植立用穿孔装置の一例を示す透視側面図である。
【図５】図４におけるＶ−Ｖ矢視断面図である。
【図６】本発明に係る他の実施態様の一例を示す断面図である。
【図７】本発明に係る植立用穿孔装置を用いて人工歯根植立用の孔を穿孔する工程を示す斜視図である。（ａ)はピーソーリーマを用いた工程図であり、（ｂ）はサーキュラーナイフを用いた工程図であり、（ｃ）は本発明に係る人工歯根植立用穿孔装置を用いた工程図であり、（ｄ）はトレフィンバーを用いた工程図である。
【図８】従来における人工歯根植立用の孔を穿孔する工程を示す斜視図である。（ａ）はピーソーリーマを用いた工程図であり、（ｂ）はサーキュラーナイフを用いた工程図であり、（ｃ）はトレフィンバーを用いた工程図である。
【図９】顎骨の内部における神経の位置を示す概念図である。
【符号の説明】
【００１９】
１，２１    ピーソーリーマ状の細ドリル
３    筐体
４    凸状環部
５    歯科用エンジン
６    ヘッド
１０，３０，４０  人工歯根植立用穿孔装置
２７  駆動軸部
２８  サンギヤ
２９  ピニオンギヤ
３７  ピーソーリーマ
３８，６２  顎骨
３９  センターガイド用の孔
４２  サーキュラーナイフ
４７  ガイド溝
４８  トレフィンバー用のガイド孔
５０  トレフィンバー
６４  神経
【図１】
2005245827.tif 000003
【図２】
2005245827.tif 000004
【図３】
2005245827.tif 000005
【図４】
2005245827.tif 000006
【図５】
2005245827.tif 000007
【図６】
2005245827.tif 000008
【図７】
2005245827.tif 000009
【図８】
2005245827.tif 000010
【図９】
2005245827.tif 000011